(57)【要約】【課題】  多様な環境下で利用される車両用時計装置において、着実に標準電波を受信して時刻を修正することが可能な車両用時計装置を提供するものである。【解決手段】  車両に搭載され利用者に時刻を知らせる表示器１０５と、時刻情報を含む標準電波を受信する受信手段１０３と、基準クロック信号を計数して時刻を求め表示器１０５に出力指示を行うとともに受信手段１０３を介して受信する時刻情報に基づいて時刻を修正する制御手段１０１とを備える車両用時計装置１００であって、車両情報端子１０９ｃもしくは多重通信入出力手段１９０ｄを設け、車両用時計装置１００は、車両情報端子１０９ｃもしくは多重通信入出力手段１０９ｄからの車両のドアの開閉情報に基づいて、時刻情報を含む標準電波を受信するものである。【選択図】  図１
2005265646.tif 000002
【特許請求の範囲】
【請求項１】
車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のドアの開閉情報に基づいて、前記時刻情報を含む標準電波を受信することを特徴とする車両用時計装置。
【請求項２】
車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、前記車両情報端子もしくは多重通信入出力手段を設け、前記車両用時計装置は、車両情報端子もしくは多重通信入出力手段からの車両のシートベルトの着用、非着用情報に基づいて、前記時刻情報を含む標準電波を受信することを特徴とする車両用時計装置。
【請求項３】
車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のパーキングブレーキの解除、非解除情報に基づいて、前記時刻情報を含む標準電波を受信することを特徴とする車両用時計装置。
【請求項４】
車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のシフトポジション情報に基づいて、前記時刻情報を含む標準電波を受信することを特徴とする車両用時計装置。
【請求項５】
車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のサイドスタンドの解除、非解除情報に基づいて、前記時刻情報を含む標準電波を受信することを特徴とする車両用時計装置。
【請求項６】
前記車両用時計装置は、受信した時刻情報が正規なものか否かの判定を行い、この判定で正規なものでないと判定されたとき、前記時刻の修正を行わないことを特徴とする請求項１から５のいずれかに記載の車両用時計装置。
【請求項７】
前記車両用時計装置は、所定時刻毎に前記時刻情報を受信することを特徴とする請求項１から５のいずれかに記載の車両用時計装置。
【請求項８】
前記車両用時計装置は、前記車両のバッテリが非接続状態から接続状態に移行したことを検出する検出機能を有し、前記検出機能の検出に応じて前記時刻情報を受信することを特徴とする請求項７に記載の車両用時計装置。
【発明の詳細な説明】
【技術分野】
【０００１】
本発明は、車両に搭載され利用者に時刻を知らせる車両用時計装置に関し、特に時刻情報を含む標準電波を受信して時刻を修正する車両用時計装置に関する。
【背景技術】
【０００２】
従来、時刻情報を含んだ標準電波を受信し時刻を合わせる電波時計があった。この電波時計は、所定の時刻になると標準電波を自動的に受信し、時刻合わせを行うものであり、例えば１日（２４時間）の内で予め定められた時刻（例えば午前２時と午前４時との２回）に自動的に標準電波を受信して時刻を修正するものであった（例えば、特許文献１参照）。
【特許文献１】特開平９−４３３６９号公報
【発明の開示】
【発明が解決しようとする課題】
【０００３】
このような電波時計を車両に搭載すると、車両を駐車する場所が標準電波の受信に不向きな場所、例えば、地下駐車場や、マンション等の鉄筋，鉄骨の建物の中や、高圧線，架線及び工事現場に近い場所、あるいは交通量が多い場所などでは、時刻情報が得られにくく、時刻修正が良好に行えないといった問題点があった。
【０００４】
そこで、本発明は前記問題点に着目し、多様な環境下で利用される車両用時計装置において、着実に標準電波を受信して時刻を修正することが可能な車両用時計装置を提供するものである。
【課題を解決するための手段】
【０００５】
本発明は、前記課題を解決するため、車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のドアの開閉情報に基づいて、前記時刻情報を含む標準電波を受信するものである。
【０００６】
また、車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、前記車両情報端子もしくは多重通信入出力手段を設け、前記車両用時計装置は、車両情報端子もしくは多重通信入出力手段からの車両のシートベルトの着用、非着用情報に基づいて、前記時刻情報を含む標準電波を受信するものである。
【０００７】
また、車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のパーキングブレーキの解除、非解除情報に基づいて、前記時刻情報を含む標準電波を受信するものである。
【０００８】
また、車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のシフトポジション情報に基づいて、前記時刻情報を含む標準電波を受信するものである。
【０００９】
また、車両に搭載され利用者に時刻を知らせる表示器と、時刻情報を含む標準電波を受信する受信手段と、基準クロック信号を計数して時刻を求め前記表示器に出力指示を行うとともに前記受信手段を介して受信する時刻情報に基づいて時刻を修正する制御手段とを備える車両用時計装置であって、車両情報端子もしくは多重通信入出力手段を設け、前記車両用時計装置は、前記車両情報端子もしくは多重通信入出力手段からの車両のサイドスタンドの解除、非解除情報に基づいて、前記時刻情報を含む標準電波を受信するものである。
【００１０】
また、前記車両用時計装置は、受信した時刻情報が正規なものか否かの判定を行い、この判定で正規なものでないと判定されたとき、前記時刻の修正を行わないものである。
【００１１】
また、前記車両用時計装置は、所定時刻毎に前記時刻情報を受信するものである。
【００１２】
また、前記車両用時計装置は、前記車両のバッテリが非接続状態から接続状態に移行したことを検出する検出機能を有し、前記検出機能の検出に応じて前記時刻情報を受信するものである。
【発明の効果】
【００１３】
以上、本発明によれば、初期の目的を達成することができ、多様な環境下で利用される車両用時計装置において、着実に標準電波を受信して時刻を修正することが可能な車両用時計装置を提供することができる。
【発明を実施するための最良の形態】
【００１４】
以下、本発明の第１実施形態を添付図面に基づいて説明する。
【００１５】
図１は、車両用時計装置１００のブロック図であり、ここでは、車両用計器装置に時計装置を集約したものを例に挙げる。車両用時計装置１００は、車両用時計装置１００の制御を行う（後述する処理動作をなす）マイクロコンピュータからなる制御手段１０１と、標準電波を受信するためのアンテナ１０２と、受信手段１０３と、車両インターフェース端子１０９ａ〜１０９ｆと、車両インターフェース手段１０８と、時刻，積算距離（オド，トリップ）等の表示を行う液晶表示素子や有機ＥＬ表示素子等からなるデジタル式の表示器１０５と、各種アナログ計器１０６と、各種警告表示部１１３ａ〜１１３ｃと、車両のトランスミッションのシフト位置を表示するギアシフト表示部１１４と、表示器１０５、各種アナログ計器１０６、各種警告表示部１１３ａ〜１１３ｃ及びギアシフト表示部１１４の駆動手段１０４と、制御手段１０１及び後述する操作手段により定められる標準電波を受信する各時刻等を記憶する記憶手段１０７と、制御手段１０１の基準クロック信号を生成する水晶振動子１１２とから主に構成される。
【００１６】
車両インターフェース端子１０９ａ〜１０９ｄには、イグニッションキーのオン信号（投入信号）、操作手段からの指示信号、その他の車両情報がそれぞれ入出力されるべく、車両情報端子１０９ｃ、多重通信入出力端子１０９ｄを介して信号線路が接続される。車両インターフェース端子１０９ｅ〜１０９ｆには、バッテリおよびＧＮＤが接続される。なお、前記バッテリと前記ＧＮＤは、電源手段１１０に接続され、車両用時計装置１００内へ所定の電圧供給を行い、リセット手段１１１は、前記バッテリが非接続状態から接続状態に移行したときにリセット信号を発生する。
【００１７】
各種警告表示部１１３ａ〜１１３ｃは、本実施形態では、それぞれドア警告表示部１１３ａ、シートベルト警告表示部１１３ｂ及びパーキングブレーキ警告表示部１１３ｃで構成されている。この各警告表示部１１３ａ〜１１３ｃは、車両情報端子１０９ｃあるいは多重通信入出力端子１０９ｄからの車両情報に基づいて、制御手段１０１が駆動手段１０４を介して駆動するものである。
【００１８】
次に図２、３を用いて、車両用時計装置１００の制御手段１０１の処理動作について詳述する。制御手段１０１は、水晶振動子１１２から発せられる基準クロック信号を計数処理し時刻を求めて、駆動手段１０４を介して表示器１０５に時刻を表示する。そして図２において、制御手段１０１は、所定の時刻（ここでは午前（ＡＭ）２時、午前４時、午後（ＰＭ）２時、午後４時の４回）毎に、受信手段１０３を動作させて時刻情報を含む標準電波を受信する。制御手段１０１は、所定の時刻にて得られた正規な時刻情報を受信したと判定したときに、この受信した時刻情報に基づいて時刻を修正する。なお、正規な時刻情報か否かの判定において、制御手段１０１は、受信した時刻情報のパリティチェックでエラーの発生がなく、かつ、１分（時刻情報は１周期６０秒）後に連続して得られる時刻情報を２回受信できたときに、正規な時刻情報を受信したと判定する。また、図中の受信結果において、○印は受信できたことを示し、×印は受信できなかったことを示すものとする。
【００１９】
図３は、車両用時計装置１００の動作例を示すタイミングチャートである。制御手段１０１は、車両情報端子１０９ｃまたは多重通信入出力端子１０９ｄを介してドアの開閉情報を入手する。そして、制御手段１０１は、ドア開から閉に変化したことを検出すると、受信手段１０３を動作させて時刻情報を含む標準電波を受信する（Ｔ３１、Ｔ３２、Ｔ３３）。Ｔ３１において、利用者は車両のドアを開け、車両に乗り込みドアを閉め、イグニッションキーをオンし、車両の走行を開始したものとする（車両は標準電波の受信が難しい場所に駐車）。ここでの受信結果は、１回目に正規な時刻情報が受信できなかったため、再度受信動作を繰り返し、２回目に正規な時刻情報が受信できたが、３回目に正規な時刻情報が受信できなかったため時刻の修正は行わない。Ｔ３２において、利用者はイグニッションキーをオンのまま、車両を停止したものとする（車両は標準電波の受信が良好な場所に停止）。ここでの受信結果は、１回目に正規な時刻情報が受信でき、２回目も正規な時刻情報が受信できたため受信した時刻情報に基づいて時刻を修正する。Ｔ３３において、利用者は車両を駐車させ、車両から降車したものとする（車両は標準電波の受信が難しい場所に駐車）。ここでの受信結果は、１回目に正規な時刻情報が受信できなかったため、再度受信動作を繰り返し、２回目にも正規な時刻情報が受信できなかったため時刻の修正は行わない。なお、ここでは、ドア開から閉に変化したことを検出した実施例を示したが、ドア閉から開に変化したことを検出した時に、制御手段１０１が受信手段１０３を動作させても良い。
【００２０】
本実施の形態では、車両のドアの開閉に基づいて標準時刻電波の受信を行うため、標準時刻電波を受信する機会が、例えば、自宅の駐車場などの特定の場所に限定されにくく、標準時刻電波の受信成功の確率の向上が図られる。また、車両のドアの開閉情報は、ドア警告表示部１１３ａで使用する情報であり、車両用計器装置においては、既存の情報であるので、新規に車両情報端子１０９ｃや多重通信入出力端子１０９ｄを設ける必要がなく、コストの上昇を伴うことがない。また、受信した時刻情報が正規なものか否かの判定を行うため、仮にエンジンノイズにより時刻情報がビット化けによって、不完全な場合であってもそれを検出可能であり、誤って時刻修正することはない。
【００２１】
次に、本発明の第２実施形態を図４に基づいて説明する。なお、前記実施形態と同一及び相当箇所には同一符号を付して、その詳細な説明は省略する。
【００２２】
図４は、第２実施形態の車両用時計装置１００の動作例を示すタイミングチャートである。制御手段１０１は、車両情報端子１０９ｃまたは多重通信入出力端子１０９ｄを介してシートベルトの着用、非着用情報を入手する。そして、制御手段１０１は、シートベルトが非着用から着用、あるいは着用から非着用に変化したことを検出すると、受信手段１０３を動作させて時刻情報を含む標準電波を受信する（Ｔ４１、Ｔ４２）。Ｔ４１において、利用者は車両に乗り込み、シートベルトを着用し、イグニッションキーをオンし、車両の走行を開始したものとする（車両は標準電波の受信が難しい場所に駐車）。ここでの受信結果は、１回目に正規な時刻情報が受信できなかったため、再度受信動作を繰り返し、２回目に正規な時刻情報が受信でき、３回目も正規な時刻情報が受信できたため受信した時刻情報に基づいて時刻を修正する。Ｔ４２において、利用者は車両を駐車させ、シートベルトを非着用とし降車したものとする（車両は標準電波の受信可能な場所に停止）。ここでの受信結果は、１回目に正規な時刻情報が受信でき、２回目も正規な時刻情報が受信できたため受信した時刻情報に基づいて時刻を修正する。
【００２３】
なお、ここでは、シートベルトが非着用から着用、あるいは着用から非着用に変化したことを検出した実施例を示したが、いずれか一方であっても良いが、シートベルトが着用から非着用に変化したことを検出した時は、イグニッションスイッチがオフの可能性が高く、ノイズの影響を受けにくいので、良好に時刻情報を受信することができる。
【００２４】
本実施の形態では、シートベルトの着用、非着用に基づいて標準時刻電波の受信を行うため、標準時刻電波を受信する機会が、例えば、自宅の駐車場などの特定の場所に限定されにくく、標準時刻電波の受信成功の確率の向上が図られる。また、シートベルトの着用、非着用情報は、シートベルト警告表示部１１３ｂで使用する情報であり、車両用計器装置においては、既存の情報であるので、新規に車両情報端子１０９ｃや多重通信入出力端子１０９ｄを設ける必要がなく、コストの上昇を伴うことがない。
【００２５】
次に、本発明の第３実施形態を図５に基づいて説明する。なお、前記各実施形態と同一及び相当箇所には同一符号を付して、その詳細な説明は省略する。
【００２６】
図５は、第３実施形態の車両用時計装置１００の動作例を示すタイミングチャートである。制御手段１０１は、車両情報端子１０９ｃまたは多重通信入出力端子１０９ｄを介してパーキングブレーキの解除、非解除情報を入手する。そして、制御手段１０１は、パーキングブレーキが非解除から解除、あるいは解除から非解除に変化したことを検出すると、受信手段１０３を動作させて時刻情報を含む標準電波を受信する（Ｔ５１、Ｔ５２）。Ｔ５１において、利用者は車両に乗り込み、イグニッションキーをオンし、パーキングブレーキを解除し、車両の走行を開始したものとする（車両は標準電波の受信が難しい場所に駐車）。ここでの受信結果は、１回目に正規な時刻情報が受信できなかったため、再度受信動作を繰り返し、２回目に正規な時刻情報が受信でき、３回目も正規な時刻情報が受信できたため受信した時刻情報に基づいて時刻を修正する。Ｔ５２において、利用者は車両を駐車させ、パーキングブレーキを非解除とし、イグニッションキーをオフして降車したものとする（車両は標準電波の受信可能な場所に停止）。ここでの受信結果は、１回目に正規な時刻情報が受信でき、２回目も正規な時刻情報が受信できたため受信した時刻情報に基づいて時刻を修正する。
【００２７】
なお、ここでは、パーキングブレーキが非解除から解除、あるいは解除から非解除に変化したことを検出した実施例を示したが、いずれか一方であっても良いが、パーキングブレーキが解除から非解除に変化したことを検出した時は、イグニッションスイッチがオフの可能性が高く、ノイズの影響を受けにくいので、良好に時刻情報を受信することができる。
【００２８】
本実施の形態では、パーキングブレーキの解除、非解除に基づいて標準時刻電波の受信を行うため、標準時刻電波を受信する機会が、例えば、自宅の駐車場などの特定の場所に限定されにくく、標準時刻電波の受信成功の確率の向上が図られる。また、パーキングブレーキの解除、非解除情報は、パーキングブレーキ警告表示部１１３ｃで使用する情報であり、車両用計器装置においては、既存の情報であるので、新規に車両情報端子１０９ｃや多重通信入出力端子１０９ｄを設ける必要がなく、コストの上昇を伴うことがない。
【００２９】
次に、本発明の第４実施形態を図６に基づいて説明する。なお、前記各実施形態と同一及び相当箇所には同一符号を付して、その詳細な説明は省略する。
【００３０】
図６は、第４実施形態の車両用時計装置１００の動作例を示すタイミングチャートである。制御手段１０１は、車両情報端子１０９ｃまたは多重通信入出力端子１０９ｄを介してシフトポジション情報を入手する。そして、制御手段１０１は、シフトポジションがパーキングポジション（以下、“Ｐ”という）からドライブポジション（以下、“Ｄ”という）、あるいは“Ｄ”から“Ｐ”、に変化したことを検出すると、受信手段１０３を動作させて時刻情報を含む標準電波を受信する（Ｔ６１、Ｔ６２、Ｔ６３、Ｔ６４）。Ｔ６１において、利用者は車両に乗り込み、イグニッションキーをオンし、シフトポジションを“Ｐ”から“Ｄ”に移動させ、車両の走行を開始したものとする（車両は標準電波の受信が難しい場所に駐車）。ここでの受信結果は、１回目に正規な時刻情報が受信できなかったため、再度受信動作を繰り返し、２回目に正規な時刻情報が受信できたが、３回目に正規な時刻情報が受信できなかったため時刻の修正は行わない。Ｔ６２において、利用者はイグニッションキーをオンのまま、車両の停止したものとする（車両は標準電波の受信可能な場所に停止）。ここでの受信結果は、１回目に正規な時刻情報が受信でき、２回目も正規な時刻情報が受信できたため受信した時刻情報に基づいて時刻を修正する。なお、Ｔ６３においては、Ｔ６２の受信処理を継続中であるため、新たな受信処理は行わない。Ｔ６４において、利用者は車両を駐車させ、車両から降車したものとする（車両は標準電波の受信が難しい場所に駐車）。ここでの受信結果は、１回目に正規な時刻情報が受信できなかったため、再度受信動作を繰り返し、２回目にも正規な時刻情報が受信できなかったため時刻の修正は行わない。
【００３１】
なお、ここでは、シフトポジションが“Ｐ”から“Ｄ”、あるいは“Ｄ”から“Ｐ”、に変化したことを検出した実施例を示したが、いずれか一方であっても良いが、シフトポジションが“Ｄ”から“Ｐ”に変化したことを検出した時は、イグニッションスイッチがオフの可能性が高く、ノイズの影響を受けにくいので、良好に時刻情報を受信することができる。
【００３２】
本実施の形態では、シフトポジジョンに基づいて標準時刻電波の受信を行うため、標準時刻電波を受信する機会が、例えば、自宅の駐車場などの特定の場所に限定されにくく、標準時刻電波の受信成功の確率の向上が図られる。また、シフトポジション情報は、ギアシフト表示部１１４で使用する情報であり、車両用計器装置においては、既存の情報であるので、新規に車両情報端子１０９ｃや多重通信入出力端子１０９ｄを設ける必要がなく、コストの上昇を伴うことがない。
【００３３】
次に、本発明の第５実施形態を図７に基づいて説明する。なお、前記各実施形態と同一及び相当箇所には同一符号を付して、その詳細な説明は省略する。
【００３４】
図７は、第５実施形態の車両用時計装置１００の動作例を示すタイミングチャートである。本動作例では、車両がサイドスタンドを備えた２輪車の場合に適用されるものである。なお、本実施形態においては、車両用計器装置１００は、図示しないサイドスタンド警告表示部を備えている。
【００３５】
制御手段１０１は、車両情報端子１０９ｃまたは多重通信入出力端子１０９ｄを介してサイドスタンドの解除、非解除情報を入手する。そして、制御手段１０１は、サイドスタンドが非解除から解除、あるいは解除から非解除に変化したことを検出すると、受信手段１０３を動作させて時刻情報を含む標準電波を受信する（Ｔ７１、Ｔ７２）。Ｔ７１において、利用者は車両に跨り、サイドスタンドを解除し、イグニッションキーをオンし、車両の走行を開始したものとする（車両は標準電波の受信が難しい場所に駐車）。ここでの受信結果は、１回目に正規な時刻情報が受信できなかったため、再度受信動作を繰り返し、２回目に正規な時刻情報が受信でき、３回目も正規な時刻情報が受信できたため受信した時刻情報に基づいて時刻を修正する。Ｔ７２において、利用者は車両を駐車させエンジンを停止させて、サイドスタンドを非解除としたものとする（車両は標準電波の受信可能な場所に停止）。ここでの受信結果は、１回目に正規な時刻情報が受信でき、２回目も正規な時刻情報が受信できたため受信した時刻情報に基づいて時刻を修正する。
【００３６】
なお、ここでは、サイドスタンドが非解除から解除、あるいは解除から非解除に変化したことを検出した実施例を示したが、いずれか一方であっても良いが、サイドスタンドが解除から非解除に変化した時は、イグニッションスイッチがオフの可能性が高く、ノイズの影響を受けにくいので、良好に時刻情報を受信することができる。
【００３７】
本実施の形態では、サイドスタンドの解除、非解除に基づいて標準時刻電波の受信を行うため、標準時刻電波を受信する機会が、例えば、自宅の駐車場などの特定の場所に限定されず、標準時刻電波の受信成功の確率の向上が図られる。また、サイドスタンド解除、非解除情報は、前記サイドスタンド警告表示部で使用する情報であり、車両用計器装置においては、既存の情報であるので、新規に車両情報端子１０９ｃや多重通信入出力端子１０９ｄを設ける必要がなく、コストの上昇を伴うことがない。
【００３８】
図８は、前記各実施形態にバッテリが接続されたか否かの条件を加えた場合の時刻情報の受信状態を示すものである。制御手段１０１は、バッテリの交換等によって車両インターフェース端子１０９ｄを介してバッテリの接続の有無を検出（具体的には、バッテリ接続により、リセット手段１１１からのリセット信号が発生したことを検出）し、時刻情報の受信を開始する。ここでは１回の受信で正規な時刻情報を受信できた例を示している。
【００３９】
また、前記各実施形態によれば、受信した時刻情報が正規なものか否かの判定を行うため、仮にエンジンノイズにより時刻情報がビット化けしたとしてもそれを検出可能であり、誤って時刻修正することはない。
【００４０】
また、前記各実施形態によれば、所定時刻毎に時刻情報の受信を行うので、標準時刻電波の受信成功の確率のさらなる向上が図られる。
【００４１】
また、前記各実施形態によれば、バッテリを接続したとき、時刻情報の自動受信を開始するので、バッテリ交換を行っても自動的に時刻合わせが可能である。
【図面の簡単な説明】
【００４２】
【図１】本発明の第１実施形態の車両用時計装置を示すブロック図。
【図２】同実施形態の車両用時刻装置の動作を説明する図。
【図３】同実施形態の車両用時刻装置の動作を説明する図。
【図４】同発明の第２実施形態の車両用時刻装置の動作を説明する図。
【図５】同発明の第３実施形態の車両用時刻装置の動作を説明する図。
【図６】同発明の第４実施形態の車両用時刻装置の動作を説明する図。
【図７】同発明の第５実施形態の車両用時刻装置の動作を説明する図。
【図８】同発明のバッテリ接続時の車両用時刻装置の動作を説明する図。
【符号の説明】
【００４３】
１００    車両用時計装置
１０１    制御手段
１０２    アンテナ
１０３    受信手段
１０９ａ〜１０９ｆ  車両インターフェース端子
１０７    記憶手段
１１２    水晶振動子
１１３ａ  ドア警告表示部
１１３ｂ  シートベルト警告表示部
１１３ｃ  パーキングブレーキ警告表示部
１１４    ギアシフト表示部
【図１】
2005265646.tif 000003
【図２】
2005265646.tif 000004
【図３】
2005265646.tif 000005
【図４】
2005265646.tif 000006
【図５】
2005265646.tif 000007
【図６】
2005265646.tif 000008
【図７】
2005265646.tif 000009
【図８】
2005265646.tif 000010